(57)【要約】【課題】脚折れテーブルに幕板を取り外し可能に付設して、支脚を折り畳む際に幕板を取り外すことができるようにする。また、既製の脚折れテーブルに、部品を追加したり加工を施すことなく幕板を付設できるようにする。更に、幕板の着脱操作を容易にする。【解決手段】係止金具２１，２２を幕板２０の裏側の左右に設け、該両係止金具２１，２２に、支脚７，７Ａを左右方向の一方から嵌合できる嵌合溝２１ｄ，２２ｄを形成する。該嵌合溝２１ｄ，２２ｄを形成する裏側の支持板２１ｃ，２２ｃに、左右方向の一方に開口する入口２１ｆ，２２ｆと、該入口より奥部において上方へ折曲した係止部２１ｇ，２２ｇからなるＬ字状の係止穴２１ｈ，２２ｈを形成し、該係止穴に取付ピン１５，１５Ａを嵌入する。【選択図】          図８
2004236899.tif 000002
【特許請求の範囲】
【請求項１】
脚折れテーブルにおける天板の下部の前側に配置される幕板であって、裏面に、テーブルに設けられた部材に取外し可能に係止する係止金具を設けたことを特徴とする脚折れテーブル用幕板。
【請求項２】
前記係止金具を、脚折れテーブルにおける前側の左右の支脚と、該支脚の起立状態を保持する支脚保持枠とを回転可能に連結する取付ピンに取外し可能に嵌合係止させる係止穴を設けて形成した請求項１記載の脚折れテーブル用幕板。
【請求項３】
前記係止金具を幕板の裏側の左右に設け、該両係止金具に、前記支脚を左右方向の一方から嵌合できる嵌合溝を形成し、更に、該嵌合溝を形成する裏側の支持板に、左右方向の一方に開口する入口と、該入口より奥部において上方へ折曲した係止部からなるＬ字状の係止穴を形成し、該係止穴に前記取付ピンを嵌入するようにした請求項２記載の脚折れテーブル用幕板。
【請求項４】
前記係止金具の嵌合溝の内面に弾性材料からなる防振部材を設けた請求項３記載の脚折れテーブル用幕板。
【発明の詳細な説明】
【０００１】
【発明の属する技術分野】
本発明は脚折れテーブル用幕板に関する。
【０００２】
【従来の技術】
従来、会議用の脚折れテーブルにおいて、着席者の膝部が前方から見えないように、天板の下部を被覆する幕板をテーブルの前部に、回転可能に固設して折り畳むことができるようにしたものが知られている。
【０００３】
【発明が解決しようとする課題】
前記のように幕板をテーブルに脱着不能に固設した脚折れテーブルにおいては、この脚折れテーブルの重量と折り畳み時の厚さが、幕板の分増加し、脚折れテーブル本来の目的である移動しやすさ（軽さ）と収納性（厚さ）が著しく損なわれていた。
更に、脚折れテーブルを購入後において、用途の変更により幕板が不要になった場合や幕板が必要になった場合にも対応することが不可能であった。
【０００４】
そこで本発明は、前記の課題を解決する脚折れテーブル用の幕板を提供すること目的とするものである。
【０００５】
【課題を解決するための手段】
前記の課題を解決するために、請求項１記載の発明は、脚折れテーブルにおける天板の下部の前側に配置される幕板であって、裏面に、テーブルに設けられた部材に取外し可能に係止する係止金具を設けたことを特徴とするものである。
【０００６】
請求項２記載の発明は、前記請求項１記載の発明において、前記係止金具を、脚折れテーブルにおける前側の左右の支脚と、該支脚の起立状態を保持する支脚保持枠とを回転可能に連結する取付ピンに取外し可能に嵌合係止させる係止穴を設けて形成したものである。
【０００７】
請求項３記載の発明は、前記請求項２記載の発明において、前記係止金具を幕板の裏側の左右に設け、該両係止金具に、前記支脚を左右方向の一方から嵌合できる嵌合溝を形成し、更に、該嵌合溝を形成する裏側の支持板に、左右方向の一方に開口する入口と、該入口より奥部において上方へ折曲した係止部からなるＬ字状の係止穴を形成し、該係止穴に前記取付ピンを嵌入するようにしたものである。
【０００８】
請求項４記載の発明は、前記請求項３記載の発明において、前記係止金具の嵌合溝の内面に弾性材料からなる防振部材を設けたものである。
【０００９】
【発明の実施の形態】
本発明の好ましい実施の形態を図に示す実施例に基づいて説明する。
【００１０】
図１乃至図１２は第１実施例を示す。
図１及び図２は幕板を付設していない状態の脚折れテーブルを示し、その天板２は上方からみて左右方向に長い長方形に形成され、その天板２の下面には、その天板２の前側と後側において、天板２の左右方向（図１における着席側から見て左右方向Ａ−Ａ）に沿ってアルミニウムなどの金属製の前側枠フレーム３と後側枠フレーム４がビスなどにより取り付けられて固設されている。なお、以下において、図１の左右方向を左右方向Ａとし、これと直交する図２のＢ方向を前後方向Ｂとする。
【００１１】
前記前側と後側の枠フレーム３，４の左右端部にはブラケット５が固設され、該ブラケット５に、水平な支軸６により前側の支脚７と後側の支脚８の上端が回転可能に備えられており、該前側の支脚７と後側の支脚８を、図１の起立状態から折り畳むことができるようになっている。また、前記支脚７，８は前記枠フレーム３，４に対し、支脚７，８が枠フレーム３，４の下面でかつ枠フレーム３，４の長手方向に沿って重合的に折り畳まれるように位置して取り付けられている。
【００１２】
前記両枠フレーム３，４には、図２に示すように、両枠フレーム３，４の内側に位置して第１の支脚保持枠（ヒンジ）９，１０が取付ピン１１，１２により回転可能に備えられ、また、前記支脚７，８には、図２に示すように支脚７，８の内側に位置して第２の支脚保持枠（ヒンジ）１３，１４が取付ピン１５，１６により回転可能に備えられ、かつ、該両支脚保持枠９と１３及び１０と１４は連結軸１７で回転可能に連結されている。そして、連結軸１７を、図１に示すように取付ピン１２と１６（１１と１５）を結ぶ直線よりも下方に位置させて支脚７，８の起立状態を保持し、また、両支脚保持枠１０，１４（９，１３）を折り畳んで支脚７，８を折り畳むことができるようになっている。
【００１３】
１８は前記第１支脚保持枠９，１０間に架設した棚である。
なお、支脚はテーブル２の前側における左右端と後側における左右端に計４個設けられており、前側における左側（着座側から見た図１の左側）の支脚を７とし、前側における右側の支脚を７Ａとし（図８参照）、右側の支脚７Ａの部材には符号にＡを付して説明する。また、後側の支脚８は前側の支脚７，７Ａと同様であるため、以後、前側の支脚７，７Ａで説明する。
【００１４】
前記支脚７，７Ａは、その横断面形状を方形にして形成されており、また、前記第２の支脚保持枠１３，１４を支持する取付ピン１５，１５Ａは、図２、図８、図９、図１１に示すように、支脚７，７Ａの内面から内側に突出して設けられ、該取付ピン１５，１５Ａにスペーサ１９，１９Ａを介在してその先部に第２の支脚保持枠１３，１３Ａが回転可能に備えられている。したがって、支脚７，７Ａと第２の支脚保持枠１３，１３Ａとの間には図９及び図１１に示すように空隙Ｄ１が設けられている。
【００１５】
次に、前記前側の左右の支脚７，７Ａ間に脱着可能に取り付ける幕板について、図３乃至図１２により説明する。
【００１６】
幕板２０は、その左右方向の長さが、前記前側における左右の支脚７，７Ａ間の長さよりも若干長く形成され、また、その上下方向の長さは、着座した人の膝部を隠すことができる所望の長さに形成され、図の実施例では図９及び図１１に示すように、上端２０ａが天板２の下部近傍に位置し、下端２０ｂが前記取付ピン１５，１５Ａよりも下方に位置するように形成されている。
【００１７】
前記幕板２０の裏側における左右方向の両端側には、図３に示すように一対の係止金具２１，２２が固着されている。該両係止金具２１，２２のうちの一方の係止金具２１は、図５に示すように、その横断面形状が、左右方向における内側が開口するコ字状に形成され、その基板２１ａと側板２１ｂと支持板２１ｃとにより、上下方向と内側が開口する嵌合溝２１ｄを形成している。また、前記基板２１ａと支持板２１ｃとの間隔（前後方向Ｂ−Ｂの間隔）Ｌ１は、前記支脚７の前後方向の間隔Ｌ２（図９，図１０参照）よりも若干大きく設定され、嵌合溝２１ｄ内に支脚７が嵌合するようになっている。また、前記基板２１ａと側板２１ｂ及び支持板２１ｃの内面にはゴムなどの弾性材料からなる防振部材２１ｅが固着されている。該防振部材２１ｅにおける前記基板２１ａ側と支持板２１ｃ側との間の間隔Ｌ３は、前記支脚７を嵌合した際に支脚７のガタつきを防止できる長さ、すなわち、支脚７の前後方向の長さＬ２と略同等に設定されている。なお、この防振部材２１ｅが支脚７の前後面に圧接するようにしてもよい。
【００１８】
前記一方の係止金具２１における支持板２１ｃには、図３に示すように、左右方向の一方である内側に入口２１ｆを形成し、奥部に上方へ立ち上がった係止部２１ｇを形成したＬ字状の係止穴２１ｈが形成されている。該係止穴２１ｈは支持板２１ｃの表裏面に貫通して形成されている。また、該入口２１ｆと係止部２１ｇからなる係止穴２１ｈは、前記取付ピン１５、詳しくはスペーサ１９を挿通できる径に設定されている。また、前記係止部２１ｇによって係止片２１ｉが形成されている。
【００１９】
また、前記他方の係止金具２２は、前記一方の係止金具２１において、その基板２１ａを、支持板２１ｃと反対側に設けた形状に形成したものである。
【００２０】
すなわち、他方の係止金具２２は、図７に示すように、基板２２ａと、該基板２２ａから裏側へ折曲した側板２２ｂと、該側板２２ｂの先端から左右方向の一方である外側へ向けて折曲した支持板２２ｃとからなり、該支持板２２ｃと幕板２０との間に、左右方向の外側と上下方向が開口する嵌合溝２２ｄを形成している。また、前記支持板２２ｃと幕板２０との間隔（前後方向Ｂ−Ｂの間隔）Ｌ１は、前記支脚７Ａの前後方向の長さＬ２（図１１，図１２参照）よりも若干大きく設定され、嵌合溝２２ｄ内に支脚７Ａが嵌合するようになっている。また、前記側板２２ｂと支持板２２ｃの内面にはゴムなどの弾性材料からなる防振部材２２ｅが固着されている。
【００２１】
前記他方の係止金具２２における支持板２２ｃには、図３に示すように、左右方向の外側に入口２２ｆを形成し、奥部に上方へ立ち上がった係止部２２ｇを形成したＬ字状の係止穴２２ｈが形成されている。該係止穴２２ｈは支持板２２ｃの表裏面に貫通して形成されている。また、該入口２２ｆと係止部２２ｇからなる係止穴２２ｈは、前記取付ピン１５Ａ、詳しくはスペーサ１９Ａを挿通できる径に設定されている。また、前記係止部２２ｇによって係止片２２ｉが形成されている。
【００２２】
したがって、前記一方の係止金具２１の嵌合溝２１ｄと他方の係止金具２２の嵌合溝２２ｄは、共に左右方向において同方向に、図の実施例では右方向に開口して形成され、また、一方の係止金具２１における支持板２１ｃの係止穴２１ｈの入口２１ｆと他方の係止金具２２における支持板２２ｃの係止穴２２ｈの入口２２ｆは、ともに左右方向において同方向に、図の実施例では右方向に開口して形成されている。
【００２３】
また、両係止金具２１と２２における嵌合溝２１ｄと２２ｄとの間の間隔Ｌ４（図３参照）は、左右の支脚７と７Ａとの間隔Ｌ５（図８参照）と略同等に設定され、また、両係止金具２１と２２における係止穴２１ｈと２２ｈとの間の間隔Ｌ６（図３参照）は、前側における左側の支脚７に設けられた取付ピン１５と、前側における右側の支脚７Ａに設けられた取付ピン１５Ａとの間の間隔Ｌ７（図８参照）と略同等に設定されている。
【００２４】
また、幕板２０の裏面には、幕板２０を付設した場合に前記両支脚７，７Ａの前面に当接する当て部材２３，２３が固設されている。該当て部材２３，２３は弾性材で形成されている。
【００２５】
以上の構造において、支脚を図１に示すように起立させた状態において幕板２０を付設するには、幕板２０を手に持って、前側の支脚７，７Ａの前部で、かつ、図８における位置よりも左側に位置させ、更に、両係止金具２１，２２の嵌合溝２１ｄ，２２ｄの右側開口部を支脚７，７Ａの側面に対向させるとともに、両係止金具２１，２２の入口２１ｆ，２２ｆを支脚７，７Ａの取付ピン１５，１５Ａと同一高さに位置させる。
【００２６】
次に、幕板２０を前記の状態から、右方へ移動させて、前記両取付ピン１５，１５Ａを入口２１ｆ，２２ｆから係止穴２１ｈ，２２ｈ部に挿入するとともに支持板２１ｃ，２２ｃを支脚７，７Ａと支脚保持枠１３，１３Ａの空隙Ｄ１に挿入し、次に幕板２０を下方へ落として両支軸１５，１５Ａ、より詳しくはスペーサ１９，１９Ａを係止穴２１ｈ，２２ｈにおける係止部２１ｇ，２２ｇの上端に係止させる。これにより、幕板２０は、係止金具２１，２２を介して両取付ピン１５，１５Ａに支承され、かつ、両係止片２１ｉ，２２ｉが両取付ピン１５，１５Ａに係止して幕板２０の左右方向のガタつきが防止されて、テーブルに付設される。更に、防振部材２１ｅ，２２ｅによって幕板２０の前後方向のガタつきも防止される。
【００２７】
前記のように付設された幕板２０を取り外す場合には、幕板２０を、前記の移動操作とは逆の移動操作をすることにより取り外すことができる。
【００２８】
この幕板２０を取り外すことにより、各支脚を折り畳んでテーブルを薄い収納形態にすることができる。
【００２９】
図１３乃至図２２は第２実施例を示す。
本第２実施例は、前記第１実施例における前側の左右の支脚７，７Ａに設けられた前記取付ピン１５，１５Ａにおいて、該取付ピン１５，１５Ａを支脚７，７Ａの前面より突出させて、該突出部に幕板を付設するようにしたものである。
【００３０】
すなわち、図１９乃至図２２に示すように、取付ピン１５，１５Ａの外側先部を支脚７，７Ａの前面より突出させるとともに、その先部に、支脚７，７Ａの前面との間に隙間Ｄ２を設けて、取付ピン１５，１５Ａより大径の頭板２４，２４Ａを設け、また、幕板２０における前記両係止金具２１，２２を、その側板２１ｂ，２２ｂの前後方向の幅Ｄ３を薄くして形成したものである。
【００３１】
その他の構造は前記第１実施例と同様であるため、前記と同一部材、部分には前記と同一の符号を付してその説明を省略する。
【００３２】
本第２実施例において、幕板２０を付設する場合には、幕板２０を、先ず前記第１実施例の場合と同様に支脚７，７Ａの前部に配置し、次に、両係止金具２１，２２の支持板２１ｃ，２２ｃを取付ピン１５，１５Ａの頭板２４，２４Ａと支脚７，７Ａ間の空隙Ｄ２に位置させて、前記第１実施例と同様に移動させる。これにより，両係止金具２１，２１Ａの支持板２１ｃ，２２ｃにおける係止穴２１ｈ，２２ｈが取付ピン１５，１５Ａに嵌合係止して前記第１実施例と同様に両係止金具２１，２２を介して幕板２０が両取付ピン１５，１５Ａに支承される。
【００３３】
また、前記のように付設された幕板２０を取り外すには，前記第１実施例と同様に、前記の取付操作と逆の操作で取り外すことができる。
【００３４】
なお、前記両実施例においては、幕板２０の両係止金具２１，２２を、取付ピン１５，１５Ａに係合させたが、係止金具を、取付ピン１５，１５Ａ以外の脚折れテーブルの既設の部材、例えば前記支脚保持枠１３，１３Ａに係止するように形成して幕板を取り外し可能に付設してもよい。
【００３５】
【発明の効果】
以上のようであるから、本発明によれば、幕板を脚折れテーブルに取り外し可能に付設できるため、幕板を取り外した場合には、脚折れテーブルの重量と折り畳みの厚さが従来の幕板固定のものに比べて低減し、脚折れテーブル本体の目的である移動しやすさ（軽さ）と収納性（厚さ）を高めることができる。
更に、脚折れテーブルを購入した後の使用時において、幕板が必要な場合や幕板が不必要な場合にも容易に対応することができる。
【００３６】
また、請求項２乃至４記載の発明によれば、既製の脚折れテーブルに、部品追加や加工を施すことなく既設の部材を利用して幕板を取り外し可能に付設できるため、既製の脚折れテーブルに、前記の効果を有して幕板を付設することができる。
【００３７】
更に、請求項３記載の発明によれば、係止金具を取付ピンに引っ掛けて、幕板を落とし込む操作で幕板を取り付けることができ、幕板の付設作業を容易にすることができる。
【００３８】
更に、請求項４記載の発明によれば、防振部材によって幕板をガタつきなく取り付けることができる。
【図面の簡単な説明】
【図１】本発明の幕板を取り付ける脚折れテーブルの実施例を示すもので、着席側から見た後面図。
【図２】図１の左側面図。
【図３】本発明の幕板の第１実施例を示す裏面図。
【図４】図３における左側面図。
【図５】図３におけるＣ−Ｃ線拡大断面図。
【図６】図３における右側面図。
【図７】図３におけるＤ−Ｄ線断面図。
【図８】図２におけるＥ−Ｅ線拡大断面図。
【図９】図８における左側面図。
【図１０】図９におけるＦ−Ｆ線断面図。
【図１１】図８における左側面図。
【図１２】図１１におけるＧ−Ｇ線断面図。
【図１３】本発明の幕板の第２実施例を示す裏面図。
【図１４】図１３の左側面図。
【図１５】図１３のＨ−Ｈ線拡大断面図。
【図１６】図１３の右側面図。
【図１７】図１３におけるＩ−Ｉ線拡大断面図。
【図１８】図１３の幕板を取り付けた状態を示すもので、図８と同一位置から見た断面図。
【図１９】図１８における左側面図。
【図２０】図１９におけるＪ−Ｊ線拡大断面図。
【図２１】図１８の右側面図。
【図２２】図２１におけるＫ−Ｋ線拡大断面図。
【符号の説明】
１    脚折れテーブル
２    天板
７，７Ａ，８    支脚
１３，１３Ａ    支脚保持枠
１５，１５Ａ    取付ピン
２０    幕板
２１，２２    係止金具
２１ｂ，２２ｂ    側板
２１ｃ，２２ｃ    支持板
２１ｄ，２２ｄ    嵌合溝
２１ｅ，２２ｅ    防振部材
２１ｆ，２２ｆ    入口
２１ｇ，２２ｇ    係止部
２１ｈ，２２ｈ    係止穴
２１ｉ，２２ｉ    係止片
２３，２３Ａ    頭板
【図１】
2004236899.tif 000003
【図２】
2004236899.tif 000004
【図３】
2004236899.tif 000005
【図４】
2004236899.tif 000006
【図５】
2004236899.tif 000007
【図６】
2004236899.tif 000008
【図７】
2004236899.tif 000009
【図８】
2004236899.tif 000010
【図９】
2004236899.tif 000011
【図１０】
2004236899.tif 000012
【図１１】
2004236899.tif 000013
【図１２】
2004236899.tif 000014
【図１３】
2004236899.tif 000015
【図１４】
2004236899.tif 000016
【図１５】
2004236899.tif 000017
【図１６】
2004236899.tif 000018
【図１７】
2004236899.tif 000019
【図１８】
2004236899.tif 000020
【図１９】
2004236899.tif 000021
【図２０】
2004236899.tif 000022
【図２１】
2004236899.tif 000023
【図２２】
2004236899.tif 000024